(57)【要約】      （修正有）【課題】取り付け構造に起因する種々の不具合を解消し、設置作業性や警報出力効率を高めた火災警報システムを提供する。【解決手段】監視領域の異常を報知するための所定警報を出力するもので、天井面１に固定される取り付けベース１０に取り付け可能なベースサウンダー２０であって、警報音を出力するためのピエゾ素子２７と当該ベースサウンダー２０を取り付けベース１０に接続するための端子であって、当該ベースサウンダー２０における取り付けベース１０に対向する面に設けられた出力器側接続端子２３とを備え、天井面１に対して平行となる面内において、当該ベースサウンダー２０の中心位置に音源を配置すると共に、当該ベースサウンダー２０の非中心位置に出力器側接続端子２３を配置した。【選択図】図１０
2010191986.tif 000002
【特許請求の範囲】
【請求項１】
監視領域の異常を報知するための所定警報を出力するもので、所定の設置面に固定される取り付けベースに取り付け可能な警報出力器であって、
警報音を出力するための音源と、
当該警報出力器を前記取り付けベースに接続するための端子であって、当該警報出力器における前記取り付けベースに対向する面に設けられた出力器側接続端子とを備え、
前記設置面に対して平行となる面内において、当該警報出力器の中心位置に前記音源を配置すると共に、当該警報出力器の非中心位置に前記出力器側接続端子を配置した、
警報出力器。
【請求項２】
前記音源を有する出力器本体と、
前記出力器本体よりも前記取り付けベース側に近い位置に配置されるものであって、前記取り付けベースに対向する面に前記出力器側接続端子を有するベースカバーとを備えた、
請求項１に記載の警報出力器。
【請求項３】
当該警報出力器は、前記取り付けベースと前記監視領域の異常を検出する警報器との相互間に取り付け可能な警報出力器であり、
前記出力器本体における前記警報器に対向する面には、当該警報出力器を前記警報器に接続するための第２の出力器側接続端子を設け、
前記出力器本体と前記ベースカバーとを相互に連結柱を介して連結し、
前記設置面に対して平行となる面内において、当該警報出力器の非中心位置に前記連結柱を配置し、
前記連結柱を介して、前記出力器側接続端子と前記第２の出力器側接続端子とを電気的に接続した、
請求項２に記載の警報出力器。
【請求項４】
前記出力器本体と前記ベースカバーとを前記連結柱を介して相互に空間部を隔てて連結することにより、当該空間部を、前記音源から出力された警報音を増幅するための増幅空間部とした、
請求項３に記載の警報出力器。
【発明の詳細な説明】
【技術分野】
【０００１】
本発明は、警報出力器に関する。
【背景技術】
【０００２】
住宅火災から建物や人命を守るためには、火災発生を早期に検知して警報を発報する火災感知器の設置が有効である。このため、監視領域に設置した火災感知器によって火災を検出した場合には、この火災感知器から移報信号を出力して、警報ベルや警報スピーカを鳴動させることによって、火災発生を報知することが行われている。
【０００３】
しかしながら、例えばホテルのような遮音性の高い建屋においては、通路に設置された警報ベルを鳴動させても、この警報音が居室内のユーザにとって聞き取り難い場合がある。このような不具合を解消するため、居室内の火災感知器に直接取り付けられ、この火災感知器からの出力に基づいて警報音を発する警報出力器（ベースサウンダー）が実用化されている。例えば、米国特許第６，３６２，７２６号には、火災警報システムに取り付け可能なベースサウンダーが開示されている。このようなベースサウンダーによれば、居室内の火災感知器と同じ位置において警報音出力を行うことができ、より確実に火災報知を行うことができる。
【０００４】
このような従来のベースサウンダーの構造について説明する。図２１は天井面に設置された従来のベースサウンダー等の縦断面図である。この図２１に示すように従来のベースサウンダー１００は、取り付けベース１０１を介して天井面１０２に取り付けられていた。そして、このベースサウンダー１００の下方に火災感知器１０３が接続されていた。このベースサウンダー１００の内部には、回路基板１０４や、音源であるピエゾ素子１０５等の電気的構成要素が収容されており、このピエゾ素子１０５から出力された警報音がベースサウンダー１００の外側に放出される。このベースサウンダー１００には貫通孔であるネジ孔１０６が形成されており、このネジ孔１０６に長尺のネジ１０７を挿通させて取り付けベース１０１にネジ込むことにより、ベースサウンダー１００が取り付けベース１０１に固定されている。また、ベースサウンダー１００の下端部に火災感知器１０３の上端部を係止させること等によって、火災感知器１０３がベースサウンダー１００に固定されている。
【０００５】
ここで、取り付けベース１０１及びベースサウンダー１００の平面略中央位置（設置面である天井面１０２に略水平な平面内における中央付近の位置（以下同じ））には、それぞれ貫通孔である配線孔１０８、１０９が形成されている。そして、天井面１０２から引き出されたリード線１１０が、これら配線孔１０８、１０９を介して、ベースサウンダー１００の下面に至るように引き出されている。このように引き出されたリード線１１０は、ベースサウンダー１００の下面に設けられた接続端子１１１にネジ止めにて接続されている。この接続端子１１１は、回路基板１０４に接続されており、これによってベースサウンダー１００の各電気的構成要素に電力が供給される。また、この接続端子１１１に火災感知器１０３の接続端子１１２を接続することにより、火災感知器１０３の各部に電力が供給される。
【先行技術文献】
【特許文献】
【０００６】
【特許文献１】米国特許第６，３６２，７２６号
【発明の概要】
【発明が解決しようとする課題】
【０００７】
しかしながら、従来のベースサウンダーの如き警報出力器においては、取り付け構造に起因する種々の不具合が生じていた。
【０００８】
例えば、従来のベースサウンダーの設置作業においては、まずベースサウンダー専用の取り付けベースを天井面等の設置面に固定し、この取り付けベースに対してベースサウンダーを固定していた。一方、ベースサウンダーを省略して火災感知器のみを設置する場合には、ベースサウンダー用のものとは異なる火災感知器専用の取り付けベースを設置面に固定し、この取り付けベースに火災感知器を固定していた。
【０００９】
このように、従来は、ベースサウンダーを設置する場合と、火災感知器のみを設置する場合とで、設置面に固定する取り付けベースが異なるため、これに応じて具体的な設置作業も異なり、設置作業が煩雑になったり、作業ミスを生じさせる原因になっていた。また、このように設置構造が異なるため、火災感知器のみを設置している監視領域にさらにベースサウンダーを後付けしたい場合、取り付けベースを交換する必要があり、ベースサウンダーの後付けが面倒であった。さらには、ベースサウンダーを取り付けベースにネジ止めしていたので、ネジやネジ止め用工具が必要になる等、ベースサウンダーの取り付け作業が煩雑であった。
【００１０】
また、従来のベースサウンダーは、電力供給のためのリード線をベースサウンダーに貫通させており、このために、ベースサウンダーの平面略中央に貫通孔を形成する必要があった。このため、ピエゾ素子のような音源をベースサウンダーの平面略中央位置に配置することができないので、ベースサウンダーを中心とする各方向に均一に音響出力を行うことが困難であり、警報出力効率を向上させることが困難であった。
【００１１】
本発明は、このような従来の警報出力器の問題に鑑みてなされたもので、警報出力効率を高めた警報出力器を提供することを目的とする。
【課題を解決するための手段】
【００１２】
請求項１に記載の警報出力器は、監視領域の異常を報知するための所定警報を出力するもので、所定の設置面に固定される取り付けベースに取り付け可能な警報出力器であって、警報音を出力するための音源と、当該警報出力器を前記取り付けベースに接続するための端子であって、当該警報出力器における前記取り付けベースに対向する面に設けられた出力器側接続端子とを備え、前記設置面に対して平行となる面内において、当該警報出力器の中心位置に前記音源を配置すると共に、当該警報出力器の非中心位置に前記出力器側接続端子を配置した。
【００１３】
請求項２に記載の警報出力器は、請求項１に記載の警報出力器において、前記音源を有する出力器本体と、前記出力器本体よりも前記取り付けベース側に近い位置に配置されるものであって、前記取り付けベースに対向する面に前記出力器側接続端子を有するベースカバーとを備えた。
【００１４】
請求項３に記載の警報出力器は、請求項２に記載の警報出力器において、当該警報出力器は、前記取り付けベースと前記監視領域の異常を検出する警報器との相互間に取り付け可能な警報出力器であり、前記出力器本体における前記警報器に対向する面には、当該警報出力器を前記警報器に接続するための第２の出力器側接続端子を設け、前記出力器本体と前記ベースカバーとを相互に連結柱を介して連結し、前記設置面に対して平行となる面内において、当該警報出力器の非中心位置に前記連結柱を配置し、前記連結柱を介して、前記出力器側接続端子と前記第２の出力器側接続端子とを電気的に接続した。
【００１５】
請求項４に記載の警報出力器は、請求項３に記載の警報出力器において、前記出力器本体と前記ベースカバーとを前記連結柱を介して相互に空間部を隔てて連結することにより、当該空間部を、前記音源から出力された警報音を増幅するための増幅空間部とした。
【発明の効果】
【００１６】
この警報出力器によれば、音響効率を向上させることができる。
【図面の簡単な説明】
【００１７】
【図１】図１は、本発明の実施例１に係るベースサウンダーを火災感知器等と共に示す斜視図である。
【図２】図２は、図１のベースサウンダー等の分解斜視図である。
【図３】図３は、下方から見た取り付けベースの拡大斜視図である。
【図４】図４は、上方から見た取り付けベースの拡大斜視図である。
【図５】図５は、下方から見たベースサウンダーの拡大斜視図である。
【図６】図６は、上方から見たベースサウンダーの拡大斜視図である。
【図７】図７は、ベースサウンダーの分解斜視図である。
【図８】図８は、上方から見たサウンダー本体の拡大斜視図である。
【図９】図９は、図８のサウンダー本体の分解斜視図である。
【図１０】図１０は、ベースサウンダーを取り付けベース及び火災感知器と共に示す縦断面図である。
【図１１】図１１は、ベースカバーを下方から見た平面図である。
【図１２】図１２は、火災感知器を上方から見た斜視図である。
【図１３】図１３は、接続前の接続端子の拡大斜視図である。
【図１４】図１４は、接続後の接続端子の拡大斜視図である。
【図１５】図１５は、本発明の実施例２に係るウォールサウンダー等の斜視図である。
【図１６】図１６は、図１５のウォールサウンダー等の分解斜視図である。
【図１７】図１７は、内側から見たウォールサウンダーの斜視図である。
【図１８】図１８は、本発明の実施例３に係るベースビーコン等の斜視図である。
【図１９】図１９は、図１８のベースビーコン等の分解斜視図である。
【図２０】図２０は、上方から見たベースビーコンの斜視図である。
【図２１】図２１は、天井面に設置された従来のベースサウンダー等の縦断面図である。
【発明を実施するための形態】
【００１８】
以下、本発明の各実施例について説明する。各実施例は、火災警報システムに関するものである。この火災警報システムにおける警報出力器は、監視領域の異常を検出する警報器に接続されるものであり、この警報器にて異常等が検出された場合に、この警報器から出力される信号の入力を受けて、各種の所定の警報出力を行う。
【００１９】
この警報出力器に接続される警報器による監視領域や監視対象の具体的内容は任意であり、例えば、火災を検出する火災感知器、ガス漏れを検出するガス漏れ検出器、あるいは、火災及びガスの両方を検出する複合式の火災ガス漏れ検出器が該当する。
【００２０】
また、警報出力器による警報の具体的形態は任意であり、例えば、警報音を出力したり、警報表示を行うことができる。さらに、警報音を出力する場合においても、その警報音の種類や具体的音源は任意であり、例えば、スピーカやピエゾ素子を用いてブザー音を出力し、あるいは、スピーカと音声合成ユニットとを用いて音声合成メッセージを出力することができる。また、警報表示を行う場合においても、その警報表示の種類や具体的光源は任意であり、例えば、ＬＥＤ（Ｌｉｇｈｔ  Ｅｍｉｔｔｉｎｇ  Ｄｉｏｄｅ）やレーザ半導体を用いて点滅表示や点灯表示を行う。この警報出力器は任意の設置面に取り付けることができ、例えば、天井面や壁面に設置できる。
【００２１】
ここで、各実施例に係る警報出力器は、その取り付け構造に主たる特徴の一部を有しており、これによって取り付け効率の向上が図られている。概略的には、取り付けベースと警報出力器、警報出力器と火災感知器、及び、取り付けベースと火災感知器、のぞれぞれの間の構造的及び電気的な接続構造を相互に共通化している。このため、取り付けベースに警報出力器を取り付けるのと同じ手順で、警報出力器に火災感知器を取り付けることができ、あるいは、同一の取り付けベースに対して火災感知器を直接取り付けることができる。この共通化により、取り付けベースに火災感知器のみを取り付ける場合と、取り付けベースに警報出力器及び火災感知器を順次取り付ける場合とで、取り付け手順の共通化を図ることができる。
【００２２】
また、各実施例に係る警報出力器は、その取り付け構造の改善により、警報出力効率の向上が図られている。概略的には、警報出力器の平面略中央位置にリード線接続用の貫通孔を形成することを不要とし、これによってこの中央位置に音源や光源を配置することを可能とすること等により、警報効果を向上させている。以下、このような特徴の一部又は全部を有する各実施例について詳細に説明する。
【実施例１】
【００２３】
まず本発明に係る実施例１について説明する。この実施例１は、警報器である火災感知器に接続され、この火災感知器からの出力に基づいて警報音を出力する警報出力器（以下、ベースサウンダーと称する）に関するものである。
【００２４】
最初に、各部の構成について説明する。図１は、実施例１に係るベースサウンダーを火災感知器等と共に示す斜視図、図２は、図１のベースサウンダー等の分解斜視図である。これら各図に示すように、設置面である天井面１には、取り付けベース１０が固定され、この取り付けベース１０の下方には、ベースサウンダー２０が取り付けられている。そして、このベースサウンダー２０のさらに下方には、火災感知器３０が接続されている。換言すれば、ベースサウンダー２０は、取り付けベース１０と火災感知器３０との間に挟持されるように配置されている。なお、この実施例１では、説明の便宜上、必要に応じて、ベースサウンダー２０を中心として、天井面１に近づく方向を「上」、天井面１から遠ざかる方向を「下」と称するが、天井以外を設置面とする場合には、「上」を設置面に近づく方向、「下」を設置面から遠ざかる方向と読み替えることができる。
【００２５】
図３には、下方から見た取り付けベースの拡大斜視図、図４には、上方から見た取り付けベースの拡大斜視図（ネジやリード線等の一部を省略する）を示す。この取り付けベース１０は、全体として略平板状に形成されており、一対のネジ孔１１、配線孔１２、及び、複数のベース側接続端子１３を備えている。各ネジ孔１１は、取り付けベース１０を天井面１に固定するための貫通孔で、このネジ孔１１にネジ１１ａを挿通させて天井面１にネジ込むことにより、取り付けベース１０を天井面１に固定することができる。このネジ孔１１は長孔状に形成されており、その長手方向に沿って、取り付けベース１０の天井面１に対する取り付け位置を容易に調整可能である。また、配線孔１２は、取り付けベース１０の平面略中央位置に設けられており、天井面１から引き出されたリード線２を、この配線孔１２に挿通させて、ベース側接続端子１３に向けて引き込むことができる。このように引き込まれたリード線２の芯線の端部は、ベース側接続端子１３に電気的に連通するネジ１３ｆによって取り付けベース１０に固定されている。
【００２６】
また、ベース側接続端子１３は、リード線２からの電力の受電と、ベースサウンダー２０又は火災感知器３０との間における信号の入出力を行う電気的な接続手段である。さらに、ベース側接続端子１３は、取り付けベース１０と、ベースサウンダー２０又は火災感知器３０との構造的な接続を行うための接続手段としても機能する。具体的には、ベース側接続端子１３は、設置面である天井面１に略平行に配置された（ベースサウンダー２０の着脱方向に対して略直交するように配置された）２枚の金属製のプレート１３ａ、１３ｂを上下に重合させて構成されており、取り付けベース１０の下面にネジ１３ｃにて固定されている。
【００２７】
そして、この２枚のプレート１３ａ、１３ｂの間に、ベースサウンダー２０の後述する出力器側接続端子２３のプレート２３ａを挟持させることで、取り付けベース１０にベースサウンダー２０を構造的及び電気的に固定することができる。あるいは、この２枚のプレート１３ａ、１３ｂの間に、火災感知器３０の後述する警報器側接続端子３２のプレート３２ａを挟持させることで、取り付けベース１０に火災感知器３０を構造的及び電気的に固定することができる。特に、プレート１３ａの非固定側の端部１３ｄは、下方に若干屈曲されており、プレート１３ａ、１３ｂの間に他のプレート２３ａ、３２ａをスムーズに受け入れることができる。また、プレート１３ｂの非固定側の端部１３ｅは、これらプレート１３ａ、１３ｂの間に入り込むように若干屈曲されており、その弾性的反発力によって端部１３ｅがプレート１３ａに向けて付勢されることから、プレート１３ａ、１３ｂと他のプレート２３ａ、３２ａとの接触が確実に維持される。この接続の具体的手順については後述する。
【００２８】
次に、ベースサウンダー２０について説明する。図５は、下方から見たベースサウンダーの拡大斜視図、図６は、上方から見たベースサウンダーの拡大斜視図、図７は、ベースサウンダーの分解斜視図である。これら各図に示すように、ベースサウンダー２０は、概略的に、ベースカバー２１と、サウンダー本体２２とを備えて構成されている。
【００２９】
このうち、ベースカバー２１は、取り付けベース１０の全体を略覆うことにより、この取り付けベース１０を外部から非露出状としてその意匠性や防塵性及び音響特性の向上を図るものである。具体的には、ベースカバー２１は、図６に示すように、取り付けベース１０より若干大きな径の中空椀状に形成されており、その内部に取り付けベース１０を収容可能である。
【００３０】
このベースカバー２１の上面には、出力器側接続端子２３が設けられている。この出力器側接続端子２３は、取り付けベース１０からの電力の受電と、取り付けベース１０との間における信号の入出力を行う電気的な接続手段である。また、出力器側接続端子２３は、当該ベースカバー２０を取り付けベース１０に対して構造的に接続するための接続手段として機能する。具体的には、この出力器側接続端子２３は、天井面１に略平行に配置された１枚の金属製のプレート２３ａから形成されている。このプレート２３ａは、ベースカバー２１の上面よりも若干上方に距離を隔てて配置されており、その端部においてネジ２４にてベースカバー２１に固定されている。そして、このプレート２３ａを、図３のベース側接続端子１３の２枚のプレート１３ａ、１３ｂの間に挟持させることで、取り付けベース１０にベースサウンダー２０を構造的及び電気的に固定することができる。この接続の具体的手順については後述する。
【００３１】
次に、サウンダー本体２２について説明する。図８は、上方から見たサウンダー本体の拡大斜視図、図９は、図８の分解斜視図、図１０は、ベースサウンダーを取り付けベース及び火災感知器と共に示す縦断面図である。このサウンダー本体２２は、ベースサウンダー２０の主要な電気的構成要素を収容するもので、特許請求の範囲における出力器本体に対応する。具体的には、サウンダー本体２２は、上部筐体２５ａと下部筐体２５ｂとを組み合わせることによって、図１の火災感知器３０と略同径の中空円盤状に形成され、その内部には回路基板２６が収容されている。この回路基板２６には、ベースサウンダー２０の電気的構成要素、例えば、図示しない中央制御部や電源制御部が配置されている。また、サウンダー本体２２の平面略中央における上方寄りの位置には、警報音の音源であるピエゾ素子２７が配置されている。このピエゾ素子２７は、回路基板２６に電気的に接続されており、電圧を印加されることで伸縮して警報音を発する。
【００３２】
また、図５、７に戻り、サウンダー本体２２の下面には、第２の出力器側接続端子２８が設けられている。この第２の出力器側接続端子２８は、図１の火災感知器３０に対する電力の供給と、火災感知器３０との間における信号の入出力を行う電気的な接続手段である。また、第２の出力器側接続端子２８は、火災感知器３０との構造的な接続を行うための接続手段として機能する。ここで、サウンダー本体２２における第２の出力器側接続端子２８の位置及び形状は、取り付けベース１０におけるベース側接続端子１３の位置及び形状と略同一とされている。すなわち、第２の出力器側接続端子２８は、図示しない天井面１に略平行に配置された２枚の金属製のプレート２８ａ、２８ｂを上下に重合させて構成されており、サウンダー本体２２の下面にネジ２８ｃにて固定されている。そして、この２枚のプレート２８ａ、２８ｂの間に、火災感知器３０の後述する感知器側接続端子３２のプレート３２ａを挟持させることで、ベースサウンダー２０に火災感知器３０を構造的及び電気的に固定することができる。特に、プレート２８ａの非固定側の端部２８ｄは、下方に若干屈曲されており、プレート２８ａ、２８ｂの間にプレート３２ａをスムーズに受け入れる。また、プレート２８ｂの非固定側の端部２８ｅは、これらプレート２８ａ、２８ｂの間に入り込むように若干屈曲されており、その弾性的反発力によって端部２８ｅがプレート２８ａに向けて付勢されることから、プレート２８ａ、２８ｂとプレート３２ａとの接触が確実に維持される。この接続の具体的手順については後述する。
【００３３】
次に、このように構成されたベースカバー２１とサウンダー本体２２との相互の連結構造について説明する。図１１は、ベースカバーを下方から見た平面図である。これら図７から１１に示すように、ベースカバー２１の両側面のうち、サウンダー本体２２に対向する側面（下面）には、このサウンダー本体２２に向けて延出する中空筒状の複数の連結柱２１ａ、２１ｂが一体に設けられている。これら複数の連結柱２１ａ、２１ｂのうち、一部の連結柱２１ａは、製造上の位置合わせを容易にすることと、ベースカバーに天井裏からの水滴が溜まった際の水抜き孔、および取り付けベースのロック機構解除ピンを警報器側から挿入する孔を兼ねている。
【００３４】
また、他の連結柱２１ｂは、図６の出力器側接続端子２３及び図７の第２の出力器側接続端子２８の平面位置に略対応する位置に形成されている。一方、図８から１１に示すように、サウンダー本体２２には、回路基板２６から電気的に接続されたネジ２２ａが設けられており、このネジ２２ａが上部筐体２５ａを貫通して上方に突出している。このネジ２２ａは、図７の連結柱２１ｂの内部に挿通され、その一端が出力器側接続端子２３に電気的に接続される。また、ネジ２８ｃは、第２の出力器側接続端子２８を回路基板２６から伸びる金具２６ａに電気的に接続する。このような構造によって、出力器側接続端子２３、ネジ２２ａ、及び、第２の出力器側接続端子２８が電気的に接続される。そして、このように連結柱２１ｂ及びネジ２２ａを介して電気的接続を行うことで、図２、３に示したリード線２をベースサウンダー２０に挿通させる必要がなくなり、ベースサウンダー２０にリード線２の引き込み用の貫通孔を形成する必要がなくなるので、図９のピエゾ素子２７やその他の構成要素の配置の自由度を高めることができる。
【００３５】
次に、ベースサウンダー２０の音響構造について説明する。図１０に示すように、サウンダー本体２２の内部には共鳴空間部２７aが形成されており、この共鳴空間部２７aの内部にピエゾ素子２７が配置されている。この共鳴空間部２７ａは、ピエゾ素子２７から発生した警報音を共鳴効果によって増幅する。また、共鳴空間部２７ａは放音開口部２５ｃに連通している。この放音開口部２５ｃは、ピエゾ素子２７から出力され共鳴空間部２７aにて増幅された警報音を、ベースカバー２１とサウンダー本体２２との間の増幅空間部２７ｂに向けて放音するための放音口である。このように放音された警報音は、増幅空間部２７ｂによってさらに増幅される。すなわち、増幅空間部２７ｂの断面は、平面中心位置から平面外側方向（図１０における左右に至る方向）に至るにつれて徐々に大きくなるように形成されており、ホーン効果によって警報音を増幅させる。そして、このように増幅された警報音が、空間部２７ｂから、ベースサウンダー２０の外部に出力される。
【００３６】
ここで、ベースカバー２１の外縁部２１ｄは、天井面１に至るにつれて徐々に大径になるように構成されると共に、天井面１に至る滑らかな斜面を形成している。この外縁部２１ｄの天井面１に対する角度は、この外縁部２１ｄに沿って天井面１に導音された警報音が、この天井面１から高効率で反射するように決定されている。従って、警報音は、ベースカバー２１の外側面に沿って外縁部２１ｄに至り、この外縁部２１ｄに沿って天井面１に滑らかに導かれ、この天井面１から高効率で監視領域に向けて反射される。
【００３７】
また、上記の構造においては、ベースサウンダー２０にリード線２の引き込み用の貫通孔を形成する必要がないため、これら共鳴空間部２７ａ、ピエゾ素子２７、及び、放音開口部２５ｃは、ベースサウンダー２０の平面略中央位置に配置されている。また、増幅空間部２７ｂは、ベースサウンダー２０の平面略中央位置を中心として側方に略均一に広がるように形成されている。従って、警報音の増幅や拡散が平面的にバランスよく行われ、この警報音がベースサウンダー２０の周囲に略均等に出力されるので、音響効率を向上させることができる。
【００３８】
次いで、火災感知器３０について説明する。ただし、この火災感知器３０は、特記する部分を除いて従来の火災感知器と略同様に構成することができ、従来の火災感知器と略同様の構成についてはその説明を省略する。図１に示すように、この火災感知器３０の筐体３１の上方部は、ベースサウンダー２０のサウンダー本体２２と略同径の中空椀状に形成され、当該火災感知器３０をベースサウンダー２０に固定した状態においては、火災感知器３０の側面とベースサウンダー２０の側面とが相互に略面一になり、意匠上の一体感を生み出す。
【００３９】
図１２は、火災感知器を上方から見た斜視図である。この図１２に示すように、火災感知器３０の上方の面には、警報器側接続端子３２が設けられている。この警報器側接続端子３２は、火災感知器３０に対する電力の供給と、ベースサウンダー２０又は取り付けベース１０との間における信号の入出力を行う電気的な接続手段である。また、警報器側接続端子３２は、ベースサウンダー２０又は取り付けベース１０との構造的な接続を行うための接続手段として機能する。このため、火災感知器３０における警報器側接続端子３２の位置及び形状は、図６のベースカバー２１における出力器側接続端子２３の位置及び形状と略同一に形成されている。具体的には、警報器側接続端子３２は、図示しない天井面１に略平行に配置された１枚の金属製のプレート３２ａから形成されている。このプレート３２ａは、火災感知器３０の上面から若干距離を隔てて配置されており、その端部においてネジ３２ｂにて火災感知器３０に固定されている。そして、このプレート３２ａを、図７のベースサウンダー２０第２の出力器側接続端子２８の２枚のプレート２８ａ、２８ｂの間に挟持させることで、ベースサウンダー２０に火災感知器３０を構造的及び電気的に固定することができる。あるいは、このプレート３２ａを、図３の取り付けベース１０のベース側接続端子１３の２枚のプレート１３ａ、１３ｂの間に挟持させることで、取り付けベース１０に火災感知器３０を構造的及び電気的に固定することができる。この接続の具体的手順については後述する。
【００４０】
次に、各部の接続手順について詳細に説明する。まず、図３において、取り付けベース１０を天井面１に下方から押し付け、そのネジ孔１１にネジ１１ａを挿通させて天井面１にネジ込むことで、取り付けベース１０を天井面１に固定する。また、天井面１から引き出したリード線２を、配線孔１２を通して下方に引き出し、ネジ１３ｆによって取り付けベース１０に固定する。
【００４１】
次に、ベースサウンダー２０を取り付ける場合には、図２において、製品としては予めベースカバー２１とサウンダー本体２２とが相互に組み付けられており、この組み付けられたベースサウンダー２０を、下方から取り付けベース１０に押し当てる。この時、図１３の接続前の接続端子の拡大斜視図に示すように、取り付けベース１０のベース側接続端子１３のプレート１３ａ、１３ｂと、ベースカバー２１の出力器側接続端子２３のプレート２３ａとは、それぞれ天井面１に略平行な状態、すなわち、相互に略平行な状態にある。従って、ベースサウンダー２０を、設置面である天井面１に沿って所定角度だけ回転させることにより、図１４の接続後の接続端子の拡大斜視図に示すように、この回転に伴って回転されたプレート２３ａが、プレート１３ａ、１３ｂの間に挿入され挟持される。この挟持状態においては、出力器側接続端子２３がベース側接続端子１３に係止されるので、出力器側接続端子２３がベース側接続端子１３と接触することで両者が導通可能になり、取り付けベース１０にベースサウンダー２０を電気的に接続することができる。また同時に、これらプレート１３ａ、１３ｂとプレート２３ａとが天井面１に略平行な方向（略水平方向）に沿って配置されていることで、鉛直方向に加わるベースサウンダー２０の自重がベース側接続端子１３にて支持されるので、ネジ止め等の他の固定手段を用いることなく、取り付けベース１０にベースサウンダー２０を構造的に支持させることができる。なお、ベースサウンダー２０を、取り付け時とは逆方向に回転させることで、取り付けベース１０から容易に取り外すことができる。
【００４２】
その後、図２において、火災感知器３０をベースサウンダー２０に取り付ける場合には、ベースサウンダー２０を取り付けベース１０に取り付けた時と略同じ作業を行えばよい。すなわち、火災感知器３０を、下方からベースサウンダー２０に押し当て、設置面である天井面１に沿って所定角度だけ回転させる。すると、この回転に伴って回転された図１２の警報器側接続端子３２のプレート３２ａが、図７のサウンダー本体２２の第２の出力器側接続端子２８のプレート２８ａ、２８ｂの間に挿入され挟持される。この挟持状態においては、警報器側接続端子３２が第２の出力器側接続端子２８に係止されるので、警報器側接続端子３２が第２の出力器側接続端子２８と接触することで両者が導通可能になり、ベースサウンダー２０に火災感知器３０を電気的に接続することができる。また同時に、これらプレート２８ａ、２８ｂとプレート３２ａとが天井面１に略平行な方向（略水平方向）に沿って配置されていることで、鉛直方向に加わる火災感知器３０の自重が第２の出力器側接続端子２８にて支持されるので、ネジ止め等の他の固定手段を用いることなく、ベースサウンダー２０に火災感知器３０を構造的に支持させることができる。なお、火災感知器３０を、取り付け時とは逆方向に回転させることで、ベースサウンダー２０から容易に取り外すことができる。
【００４３】
一方、ベースサウンダー２０を省略し、火災感知器３０のみを取り付けベース１０に直接取り付ける場合においても、火災感知器３０をベースサウンダー２０に取り付けるのと略同じ作業を行えばよい。すなわち、取り付けベース１０を天井面１に取り付けた後、火災感知器３０を、下方から取り付けベース１０に押し当て、天井面１に沿って所定角度だけ回転させる。この状態において、取り付けベース１０のベース側接続端子１３のプレート１３ａ、１３ｂと、火災感知器３０の警報器側接続端子３２のプレート３２ａとは、相互に平行な状態にあるため、火災感知器３０の回転に伴って回転されたプレート３２ａが、２枚のプレート１３ａ、１３ｂの間に挿入され挟持される。この挟持状態においては、警報器側接続端子３２がベース側接続端子１３に係止されるので、警報器側接続端子３２がベース側接続端子１３と接触することで両者が導通可能になり、取り付けベース１０に火災感知器３０を電気的に接続することができる。また同時に、これらプレート１３ａ、１３ｂとプレート３２ａとが天井面１に略平行な方向（略水平方向）に沿って配置されていることで、鉛直方向に加わる火災感知器３０の自重がベース側接続端子１３にて支持されるので、ネジ止め等の他の固定手段を用いることなく、取り付けベース１０に火災感知器３０を構造的に支持させることができる。なお、火災感知器３０を、取り付け時とは逆方向に回転させることで、取り付けベース１０から容易に取り外すことができる。
【００４４】
なお、最初に火災感知器３０をベースサウンダー２０に取り付けた後、これらをまとめて取り付けベース１０に取り付けてもよい。また、取り付けベース１０にベースサウンダー２０のみを取り付けて、火災感知器３０を省略することもできる。このように火災感知器３０を省略する場合には、取り付けベース１０にベースサウンダー２０を取り付けた後、このベースサウンダー２０に図示しないカバーを被せることで、その第２の出力器側接続端子２８等を覆って、安全性と意匠性を確保することもできる。また、高所の取り付けベース１０に火災感知器３０のみが既設されているような場合においては、火災感知器３０やベースサウンダー２０を保持可能な取り外し器を長尺の竿の先に固定し、この取り外し器を用いて、火災感知器３０を取外した後、ベースサウンダー２０及び火災感知器３０を順次取り付けることができる。このように各部の回転のみによって着脱作業を行うことができるので、高所作業も容易に行うことができる。
【００４５】
このように実施例１によれば、各部の取り付けを略同様の手順で行うことができるので、取り付け作業の共通化を図ることができる。また、ベースサウンダー２０の有無に関わらず、同一の取り付けベース１０を用いることができ、取り付け作業が容易になる。さらには、ベースサウンダー２０や火災感知器３０の取り付けにはネジ止めを必要としないので、ネジや作業工具が不要になり、取り付け作業が一層容易になる。
【実施例２】
【００４６】
次に、実施例２について説明する。この実施例２は、壁面に固定され、別の位置に取り付けられた火災感知器からの出力を受けた受信機の制御に基づいて警報音を出力する警報出力器（以下、ウォールサウンダーと称する）に関するものである。ただし、特に説明なき構成については、実施例１と同様であり、実施例１と略同一の構成については、必要に応じて、実施例１の説明中に使用した符号と同一の名称又は符号を付してその説明を省略する。
【００４７】
図１５は、実施例２に係るウォールサウンダー等の斜視図、図１６は、図１５のウォールサウンダー等の分解斜視図である。これら各図に示すように、設置面である壁面３には、取り付けベース１０が固定され、この取り付けベース１０にウォールサウンダー４０が取り付けられている。なお、この実施例２では、説明の便宜上、必要に応じて、ウォールサウンダー４０を中心として、壁面３に近づく方向を「内」、壁面３から遠ざかる方向を「外」と称するが、壁面３以外を設置面とする場合には、「内」を設置面に近づく方向、「外」を設置面から遠ざかる方向と読み替えることができる。
【００４８】
ここで、取り付けベース１０は、実施例１と同様に構成されており、その外面にはベース側接続端子１３が設けられている。そして、このベース側接続端子１３には、壁面３から引き出されたリード線２が接続されている。
【００４９】
また、ウォールサウンダー４０は、取り付けベース１０を略覆う外径の筐体４１に、音源である図示しないピエゾ素子を収容して構成されている。この筐体４１の外側部４２は外側に至るにつれて広幅になる拡声器類似の形状に形成され、ピエゾ素子から出力された警報音が図示しない開口部を介してこの外側部４２に導音され、この外側部４２にて増幅されて外部に出力される。
【００５０】
図１７は、内側から見たウォールサウンダーの斜視図である。ウォールサウンダー４０の内側の面には、実施例１のベースサウンダー２０の出力器側接続端子２３と同様の位置及び形状に形成された出力器側接続端子４３が設けられている。この出力器側接続端子４３は、図１７の状態において、設置面である壁面３に略平行に配置されたプレート４３ａを有して構成されている。従って、ウォールサウンダー４０を取り付けベース１０に押し当て、壁面３に沿って所定角度だけ回転させると、この回転に伴って回転されたプレート４３ａが、ベース側接続端子１３のプレート１３ａ、１３ｂの間に挿入され挟持され、ウォールサウンダー４０を取り付けベース１０に固定することができる。なお、ウォールサウンダー４０を、取り付け時とは逆方向に回転させることで、取り付けベース１０から容易に取り外すことができる。
【００５１】
ここで、従来は、ウォールサウンダー４０に専用の図示しない取り付けベースを壁面３に固定し、この専用の取り付けベースにウォールサウンダー４０を固定していた。具体的には、壁面３から引き出したリード線２を、この専用の取り付けベースを貫通させて引き込み、ウォールサウンダー４０の内側の面に設けた接続端子に接続していた。その後、長尺状のネジを、ウォールサウンダー４０の外側から差し入れ、このウォールサウンダー４０を貫通させて取り付けベースにネジ込むことで、ウォールサウンダー４０を固定していた。これに対して、上述した実施例２によれば、取り付けベース１０には、実施例１のベースサウンダー２０や火災感知器３０を取り付けることができ、またこの取り付けと同様の手順にて、ウォールサウンダー４０を取り付けることができる。従って、ウォールサウンダー４０の取り付けをベースサウンダー２０や火災感知器３０の取り付けと共通化できる。また、これらウォールサウンダー４０と、ベースサウンダー２０や火災感知器３０とを相互に容易に交換できる。さらに、ウォールサウンダー４０の取り付けにはネジ止めを必要としないので、ネジや作業工具が不要になり、取り付け作業が一層容易になる。
【実施例３】
【００５２】
次に、実施例３について説明する。この実施例３は、天井面に固定されたベースサウンダーに対してさらに重合的に固定されるもので、火災感知器からの出力に基づいて警報表示を行う警報出力器（以下、ベースビーコンと称する）に関するものである。ただし、特に説明なき構成については、実施例１と同様であり、実施例１と略同一の構成については、必要に応じて、実施例１の説明中に使用した符号と同一の名称又は符号を付してその説明を省略する。
【００５３】
図１８は、実施例３に係るベースビーコン等の斜視図、図１９は、図１８のベースビーコン等の分解斜視図である。これら図１８、１９に示すように、設置面である天井面１には、取り付けベース１０が固定され、この取り付けベース１０の下方にはベースサウンダー２０が取り付けられている。そして、このベースサウンダー２０の下方にはベースビーコン５０が取り付けられ、このベースビーコン５０の下方にさらに火災感知器３０が取り付けられている。なお、これら取り付けベース１０、ベースサウンダー２０、及び、火災感知器３０は、実施例１と略同様に構成できるのでその説明は省略する。
【００５４】
ここで、ベースビーコン５０は、ベースサウンダー２０と略同様の外径を有する円筒状の筐体５１に、発光源である図示しないＬＥＤを内蔵して構成されている。この筐体５１の側部の全周にはクリアレンズ５２が嵌め込まれており、ＬＥＤから発光された光がこのクリアレンズ５２を介して外部に放出される。
【００５５】
図２０は、上方から見たベースビーコンの斜視図である。この図２０に示すように、ベースビーコン５０の上面には、実施例１のベースサウンダー２０の出力器側接続端子２３と同様の位置及び形状にて、出力器側接続端子５３が設けられている。この出力器側接続端子５３はプレート５３ａを有して構成されており、このプレート５３ａは、ベースビーコン５０を図１９のように配置した状態において、設置面である天井面１に略平行に配置される。従って、ベースビーコン５０を、ベースサウンダー２０に下方から押し当て、天井面１に沿って所定角度だけ回転させると、この回転に伴って回転された出力器側接続端子５３のプレート５３ａが、プレート５３ａの第２の出力器側接続端子２８のプレート２８ａ、２８ｂの間に挿入され挟持され、ベースビーコン５０をベースサウンダー２０に固定できる。また、この取り付けと同様の手順にて、実施例１の火災感知器３０の場合と同様に、ベースサウンダー２０を省略して、このベースビーコン５０を取り付けベース１０に直接取り付けることもできる。なお、ベースビーコン５０を、取り付け時とは逆方向に回転させることで、ベースサウンダー２０から容易に取り外すことができる。
【００５６】
また、図１９に示すように、ベースビーコン５０の下面には、実施例１ベースサウンダー２０の第２の出力器側接続端子２８と同様の位置及び形状にて、第２の出力器側接続端子５４が設けられている。この第２の出力器側接続端子５４は２枚のプレート５４ａ、５４ｂを重合して構成されており、これらプレート５４ａ、５４ｂは、ベースビーコン５０を図１９のように配置した状態において、設置面である天井面１に略平行に配置される。従って、火災感知器３０を、ベースビーコン２０に下方から押し当て、天井面１に沿って所定角度だけ回転させると、この回転に伴って回転された火災感知器３０の図示しない警報器側接続端子３２のプレート３２ａが、第２の出力器側接続端子５４のプレート５４ａ、５４ｂの間に挿入され挟持されるので、火災感知器３０をベースビーコン５０に電気的及び構造的に固定することができる。なお、火災感知器３０を、取り付け時とは逆方向に回転させることで、ベースビーコン５０から容易に取り外すことができる。
【００５７】
ここで、従来は、ベースビーコン５０は火災感知器３０と同様な形状で、火災感知器３０と共通の取り付けベース１０に取り付けられていた。従って、火災感知器３０と同軸に設置することが出来なかったが、この実施例３においては、実施例１のベースサウンダー２０と同様な接続構造を採用することで、ベースビーコン５０の下面に火災感知器３０を接続することも可能になる。上述した実施例３によれば、取り付けベース１０には、実施例１のベースサウンダー２０や火災感知器３０を取り付けることができ、またこの取り付けと同様の手順にて、ベースビーコン５０を取り付けベース１０やベースサウンダー２０に取り付けることができる。従って、ベースビーコン５０の取り付けをベースサウンダー２０や火災感知器３０の取り付けと共通化できる。また、これらベースビーコン５０と、ベースサウンダー２０や火災感知器３０とを相互に容易に交換できる。さらに、ベースビーコン５０の取り付けにはネジ止めを必要としないので、ネジや作業工具が不要になり、取り付け作業が一層容易になる。
【００５８】
以上、本発明の各実施例について説明したが、本発明の具体的な構成及び方法は、特許請求の範囲に記載した各発明の技術的思想の範囲内において、任意に改変及び改良することができる。以下、このような変形例について説明する。
【００５９】
まず、各実施例の構成は、他の実施例に適用することもできる。例えば、実施例１、３においては、火災感知器３０を最下方に配置してその火災感知能力の増大化を図っているが、警報出力効果を最大化したい場合には、火災感知器３０を取り付けベース１０に固定し、この火災感知器３０の下方にベースサウンダー２０やベースビーコン５０を固定してもよい。この場合には、火災感知器３０の下面に第２の出力器側接続端子２８を設ければよい。このように様々な種類の感知器、例えば熱やガスを検出する機能を持たせた感知器の上面と下面に、各実施例に示した接続端子を設けることで、これら各感知器を必要に応じて重合的に組み合わせることができ、複合機能を有する端末機器を構成することが可能になる。
【００６０】
また、接続端子の位置及び形状については、各実施例に示した以外にも様々な態様を取り得る。例えば、相互に接続される接続端子の一方を、家庭用電気機器のプラグ接続に用いられるようなオス型端子とし、接続端子の他方を、当該オス型端子を着脱自在に受け入れるメス型端子としてもよい。また、各実施例においては、接続端子によって各部を構造的及び電気的に接続可能としているが、構造的接続については従来と同様のネジ固定にて行い、電気的接続のみを上述した本願構成による接続構造にて行ってもよい。
【００６１】
また、本発明が解決しようとする課題や発明の効果は、上記した内容に限定されるものではなく、本発明によって、上記に記載されていない課題を解決したり、上記に記載されていない効果を奏することもでき、また、記載されている課題の一部のみを解決したり、記載されている効果の一部のみを奏することがある。例えば、各部の接続構造を完全に共通化できていない場合においても、従来よりわずかでも接続効率が向上している限りにおいて、本発明の課題は達成されている。
【００６２】
この他、上記文書中や図面中で示した構造例、各部の寸法関係や位置関係、肉厚等については、あくまで例示であり、特記する場合を除いて任意に変更することができる。
【００６３】
（第１の付記１）
第１の付記１に記載の警報出力器は、監視領域の異常を報知するための所定警報を出力する警報出力器であって、所定の設置面に対向する面に、この設置面に固定される所定の取り付けベースに設けたベース側接続端子に対して、当該警報出力器を構造的及び電気的に接続するための出力器側接続端子を設けたことを特徴とする。
【００６４】
（第１の付記２）
また、第１の付記２に記載の警報出力器は、第１の付記１に記載の警報出力器において、さらに、前記監視領域の異常を検出する警報器に接続可能な警報出力器であって、前記警報器に対向する面に、この警報器に設けた警報器側接続端子に対して、当該警報出力器を構造的及び電気的に接続するための第２の出力器側接続端子を設け、これら出力器側接続端子と第２の出力器側接続端子とを電気的に接続したことを特徴とする。
【００６５】
（第１の付記３）
また、第１の付記３に記載の警報出力器は、監視領域の異常を検出する警報器に接続可能なものであって、この警報器からの出力に基づいて警報音を出力する警報出力器において、当該警報出力器の設置面に取り付けられる取り付けベースに対して、固定可能なベースカバーと、前記ベースカバーに対して空間部を隔てて固定されるもので、前記警報音を出力する音源部を収容する出力器本体とを備え、前記ベースカバーの前記取り付けベースに対向する面に、当該取り付けベースに設けたベース側接続端子に対して、当該警報出力器を構造的及び電気的に接続するための出力器側接続端子を設け、前記出力器本体の前記警報器に対向する面に、当該警報器に設けた警報器側接続端子に対して、当該警報出力器を構造的及び電気的に接続するための第２の出力器側接続端子を設けたことを特徴とする。
【００６６】
（第１の付記４）
また、第１の付記４に記載の警報出力器は、第１の付記１から３のいずれか一項に記載の警報出力器において、前記ベース側接続端子と前記出力器側接続端子のいずれか一方を、前記設置面に略平行に配置される複数のプレートを用いて構成し、いずれか他方を、前記複数のプレートによって挟持されるプレートを用いて構成したことを特徴とする。
【００６７】
（第１の付記５）
また、第１の付記５に記載の警報出力器は、第１の付記２から４のいずれか一項に記載の警報出力器において、前記警報器側接続端子と前記第２の出力器側接続端子のいずれか一方を、前記設置面に略平行に配置される複数のプレートを用いて構成し、いずれか他方を、前記複数のプレートによって挟持されるプレートを用いて構成したことを特徴とする。
【００６８】
（第１の付記６）
また、第１の付記６に記載の警報出力器は、第１の付記２から５のいずれか一項に記載の警報出力器において、当該警報出力器における前記出力器側接続端子の位置及び形状を、前記取り付けベースにおける前記ベース側接続端子の位置及び形状と略同一にすると共に、当該警報出力器における前記第２の出力器側接続端子の位置及び形状を、前記警報器における前記警報器側接続端子の位置及び形状と略同一にしたことを特徴とする。
【００６９】
（第１の付記７）
また、第１の付記７に記載の警報出力器は、第１の付記２から６のいずれか一項に記載の警報出力器において、監視領域の異常を検出する警報器に接続可能なものであって、この警報器からの出力に基づいて警報を出力する警報出力器において、当該警報出力器の設置面に取り付けられる取り付けベースに対して、固定可能なベースカバーと、前記ベースカバーに対して空間部を隔てて固定されるもので、前記警報音を出力する音源部を収容する出力器本体と、前記ベースカバーと前記出力器本体とを相互に連結する連結柱とを備え、前記ベースカバーの前記取り付けベースに対向する面に、前記出力器側接続端子を設け、前記出力器本体の前記警報器に対向する面に、前記第２の出力器側接続端子を設け、前記出力器側接続端子と前記第２の出力器側接続端子との電気的な接続を、前記連結柱を介して行ったことを特徴とする。
【００７０】
本発明の警報出力器は、出力器側接続端子を取り付けベースのベース側接続端子に接続することで、警報出力器を取り付けベースに構造的及び電気的に接続することができるので、警報出力器の取り付けに際してネジやネジ止め用の作業工具が不要になり、警報出力器の取り付け作業が容易になる。
【００７１】
また、本発明の警報出力器は、第２の出力器側接続端子を警報器の警報器側接続端子に接続することで、警報器を警報出力器に構造的及び電気的に接続することができるので、警報器の取り付けに際してネジやネジ止め用の作業工具が不要になり、警報器の取り付け作業が容易になる。
【００７２】
また、本発明の警報出力器は、設置面に略平行に配置される複数のプレートに、他のプレートを挟持させることによって端子間接続を行っているので、警報出力器や警報器の自重が設置面に対して直交する方向に加わった場合においても、これをプレートにて支持でき、警報出力器や警報器の構造的及び電気的な接続が可能になる。
【００７３】
また、本発明の警報出力器は、警報出力器における出力器側接続端子の位置及び形状を、取り付けベースにおけるベース側接続端子の位置及び形状と略同一にすると共に、警報出力器における第２の出力器側接続端子の位置及び形状を、警報器における警報器側接続端子の位置及び形状と略同一にしたので、取り付けベースに対する警報出力器の接続構造、取り付けベースに対する警報器の接続構造、及び、警報出力器に対する警報器の接続構造を、相互に共通化できる。従って、同一の取り付けベースに対して、警報出力器と警報器のいずれを取り付けることもでき、取り付け作業が容易になる。例えば、警報器のみが既設されている場合にさらに警報出力器を取り付けるような場合にも、取り付けベースを交換する必要がなくなり、取り付け作業が容易になる。
【００７４】
（第２の付記１）
第２の付記１に記載の火災警報システムは、所定の設置面に固定される取り付けベースに対して、監視領域の異常を検出する警報器と所定警報を出力する警報出力器とをそれぞれ直接的に取り付け可能にすると共に、前記取り付けベースに取り付けた前記警報器又は前記警報出力器のいずれか一方に対して前記警報器又は前記警報出力器のいずれか他方を取り付け可能とした。
【００７５】
（第２の付記２）
第２の付記２に記載の火災警報システムは、所定の設置面に固定される取り付けベースに対して、監視領域の異常を検出する警報器と所定警報を出力する複数の警報出力器の各々とをそれぞれ直接的に取り付け可能とし、かつ、前記取り付けベースに取り付けた前記警報器に対して前記複数の警報出力器を重合状に取り付け可能とするか、あるいは、前記取り付けベースに重合状に取り付けた前記複数の警報出力器に対して前記警報器を取り付け可能とした。
【００７６】
（第２の付記３）
第２の付記３に記載の火災警報システムは、所定の設置面に固定される取り付けベースに対して、監視領域の異常を検出する警報器と所定警報を出力する一つ又は複数の警報出力器との中から、少なくとも２つ選択された前記警報器又は前記警報出力器を重合状に取り付け可能とした。
【００７７】
（第２の付記４）
第２の付記４に記載の火災警報システムは、第２の付記１から３のいずれか一項に記載の火災警報システムにおいて、前記取り付けベースと前記警報器との固定構造、前記取り付けベースと前記警報出力器との固定構造、及び前記警報器と前記警報出力器との固定構造を、相互に同一とした。
【００７８】
（第２の付記５）
第２の付記５に記載の火災警報システムは、第２の付記２又は３に記載の火災警報システムにおいて、前記取り付けベースと前記警報器との固定構造、前記取り付けベースと前記警報出力器との固定構造、前記警報器と前記警報出力器との固定構造、及び複数の前記警報出力器の相互間の固定構造を、相互に同一とした。
【００７９】
（第２の付記６）
第２の付記６に記載の火災警報システムは、第２の付記１から５のいずれか一項に記載の火災警報システムにおいて、前記警報出力器は、警報音を出力するための音源を有するベースサウンダーである。
【００８０】
（第２の付記７）
第２の付記７に記載の火災警報システムは、第２の付記１から５のいずれか一項に記載の火災警報システムにおいて、前記警報出力器は、発光源を有するベースビーコンである。
【００８１】
（第２の付記８）
第２の付記８に記載の火災警報システムは、第２の付記２から５のいずれか一項に記載の火災警報システムにおいて、複数の前記警報出力器のうち、少なくとも一部は、警報音を出力するための音源を有するベースサウンダーであり、他の少なくとも一部は、発光源を有するベースビーコンである。
【００８２】
（第２の付記９）
第２の付記９に記載の火災警報システムは、第２の付記１から８のいずれか一項に記載の火災警報システムにおいて、前記取り付けベースに対して、前記警報器又は前記警報出力器に代えて、所定警報を出力するウォールサウンダーを取り付け可能とした。
【００８３】
（第２の付記１０）
第２の付記１０に記載の火災警報システムは、第２の付記９に記載の火災警報システムにおいて、前記取り付けベースと前記警報器との固定構造、前記取り付けベースと前記警報出力器との固定構造、前記警報器と前記警報出力器との固定構造、及び前記取り付けベースと前記ウォールサウンダーとの固定構造を、相互に同一とした。
【００８４】
（第２の付記１１）
第２の付記１１に記載の火災警報システムは、第２の付記１から１０のいずれか一項に記載の火災警報システムにおいて、前記取り付けベースに取り付けた前記警報出力器に対して、前記警報器に代えて、カバーを取り付け可能とした。
【００８５】
この火災警報システムによれば、各感知器を必要に応じて重合的に組み合わせることができ、複合機能を有する端末機器を構成することが可能になる。
【産業上の利用可能性】
【００８６】
以上のように、本発明に係る火災警報システムは、設置面への警報出力器の取り付けの作業性や、警報出力器による警報の出力効率を向上させることに有用である。
【符号の説明】
【００８７】
１、１０２    天井面
２    リード線
３    壁面
１０、１０１  取り付けベース
１１、１０６  ネジ孔
１１ａ、１３ｃ、２１ｃ、２２ａ、２８ｃ、３２ｂ、１０７  ネジ
１２、１０８、１０９  配線孔
１３  ベース側接続端子
１３ａ、１３ｂ、２３ａ、２８ａ、２８ｂ、３２ａ、４３ａ、５３ａ、５４ａ、５４ｂ  プレート
２０、１００  ベースサウンダー
２１  ベースカバー
２１ａ、２１ｂ  連結柱
２１ｄ  外縁部
２２  サウンダー本体
２３、４３、５３  出力器側接続端子
２５ａ  上部筐体
２５ｂ  下部筐体
２５ｃ  放音開口部
２６、１０４  回路基板
２６ａ  金具
２７、１０５  ピエゾ素子
２７a  共鳴空間部
２７ｂ  増幅空間部
２８、５４  第２の出力器側接続端子
３０、１０３  火災感知器
３１、４１、５１  筐体
３２  警報器側接続端子
４０  ウォールサウンダー
４２  外側部
５０  ベースビーコン
５２  クリアレンズ
１１１  接続端子
【図１】
2010191986.tif 000003
【図２】
2010191986.tif 000004
【図３】
2010191986.tif 000005
【図４】
2010191986.tif 000006
【図５】
2010191986.tif 000007
【図６】
2010191986.tif 000008
【図７】
2010191986.tif 000009
【図８】
2010191986.tif 000010
【図９】
2010191986.tif 000011
【図１０】
2010191986.tif 000012
【図１１】
2010191986.tif 000013
【図１２】
2010191986.tif 000014
【図１３】
2010191986.tif 000015
【図１４】
2010191986.tif 000016
【図１５】
2010191986.tif 000017
【図１６】
2010191986.tif 000018
【図１７】
2010191986.tif 000019
【図１８】
2010191986.tif 000020
【図１９】
2010191986.tif 000021
【図２０】
2010191986.tif 000022
【図２１】
2010191986.tif 000023